(57)【要約】      （修正有）【課題】従来に比べてケーブル等への取り付けが容易で、減衰率を向上できるノイズフィルタを提供する。【解決手段】機器にとってノイズとなる電磁波を発生するものに装着され、電磁波を減衰してノイズを取り除くノイズフィルタ１、３、５、７であって、複数の酸化物磁性材料を使用した特殊フェライトコアを備え、特殊フェライトコアは、電磁波を発生するものを囲む筒状の形状をしており、軸方向に複数分割されて互いに分離できる。【選択図】図２
0003227831.tif 000002
【実用新案登録請求の範囲】
【請求項１】
機器にとってノイズとなる電磁波を発生するものに装着され、前記電磁波を減衰してノイズを取り除くノイズフィルタであって、
複数の酸化物磁性材料を使用した特殊フェライトコアを備え、
前記特殊フェライトコアは、前記電磁波を発生するものを囲む筒状の形状をしており、軸方向に複数分割されて互いに分離できるものである、ノイズフィルタ。
【請求項２】
前記特殊フェライトコアは、前記減衰した電磁波を熱エネルギーに変換させることを特徴とする、請求項１記載のノイズフィルタ。
【請求項３】
前記特殊フェライトコアは、前記変換した熱エネルギーを大気中に開放することを特徴とする、請求項２記載のノイズフィルタ。
【請求項４】
前記電磁波は、高調波の電磁波である、請求項１から３のいずれかに記載のノイズフィルタ。
【請求項５】
請求項１から４のいずれかに記載の電磁波を発生するものはコンセントの配線であり、
請求項１から４のいずれかに記載のノイズフィルタを備えた、コンセント。
【請求項６】
請求項１から４のいずれかに記載の前記電磁波を発生するものはケーブルであり、
請求項１から４のいずれかに記載のノイズフィルタを備えた、電源ケーブル。
【考案の詳細な説明】
【技術分野】
【０００１】
本考案は、ノイズフィルタ、コンセント及び電源ケーブルに関し、特に、機器にとってノイズとなる電磁波を発生するものに装着され、前記電磁波を減衰してノイズを取り除くノイズフィルタ等に関する。
【背景技術】
【０００２】
特許文献１、２に記載のように、フェライトコアを用い、電磁波を発生するものに装着され、電磁波を減衰してノイズを取り除くノイズフィルタが提案されている。特許文献１では、フェライトコアを分離して、一方にヒンジをつけて開くようにしており、電磁波を発生するケーブルを間に通して装着し、ケーブルから発生する電磁波を減衰するようにしている。特許文献２では、円筒状のフェライトコアの内部にケーブルを通して装着し、ケーブルから発生する電磁波を減衰するようにしている。
【０００３】
また、上記のような形状ではなく、フェライトコアを平板状のプレートの形をしたものもある。
【先行技術文献】
【特許文献】
【０００４】
【特許文献１】特開平５−２７５２４１号公報
【特許文献２】特開平９−９３８０３号公報
【考案の概要】
【考案が解決しようとする課題】
【０００５】
しかしながら、特許文献１のものは、ヒンジがあることで一方側がしっかりと固定されて固定度が確保される面がある一方で、取り付けの際、特に後からの取り付けの際にはヒンジが却って邪魔になってしまうという問題がある。また、特許文献２のものは、円筒状のものであることから、取り付けはケーブルを通す必要があり、特に後からの取り付けの際にはケーブルを外すなども必要で、特許文献１のものよりもさらに取り付けが面倒という問題がある。さらに、平板状のプレートの場合には、ケーブルに取り付けることは貼りつける形しかなく、固定度の問題があるうえに、電磁波の減衰が設置した面でしか行われずに、減衰率が悪いという問題もある。加えて、従来のフェライトコアでは、減衰率の点で、材料の配合などの改良の余地があるものであった。
【０００６】
ゆえに、本考案は、従来に比べてケーブル等への取り付けを容易にしたノイズフィルタ等を提供する。また、本考案は、従来に比べて減衰率を向上させたノイズフィルタ等を提供する。
【課題を解決するための手段】
【０００７】
本考案の第１の観点は、機器にとってノイズとなる電磁波を発生するものに装着され、前記電磁波を減衰してノイズを取り除くノイズフィルタであって、複数の酸化物磁性材料を使用した特殊フェライトコアを備え、前記特殊フェライトコアは、前記電磁波を発生するものを囲む筒状の形状をしており、軸方向に複数分割されて互いに分離できるものである。
【０００８】
本考案の第２の観点は、第１の観点において、前記特殊フェライトコアが、前記減衰した電磁波を熱エネルギーに変換させることを特徴とするものである。
【０００９】
本考案の第３の観点は、第２の観点において、前記特殊フェライトコアが、前記変換した熱エネルギーを大気中に開放することを特徴とするものである。
【００１０】
本考案の第４の観点では、第１から第３の観点のいずれかにおいて、前記電磁波が、高調波の電磁波である。
【００１１】
本考案の第５の観点は、第１から第４の観点のいずれかに記載の電磁波を発生するものはコンセントの配線であり、第１から第４の観点のいずれかに記載のノイズフィルタを備えた、コンセントである。
【００１２】
本考案の第６の観点は、第１から第４の観点のいずれかに記載の前記電磁波を発生するものはケーブルであり、第１から第４の観点のいずれかに記載のノイズフィルタを備えた、電源ケーブルである。
【考案の効果】
【００１３】
本考案によれば、特殊フェライトコアが、ケーブルなどの電磁波を発生するものを囲む筒状の形状をしており、軸方向に複数分割されて互いに分離できるものであることから、取り付け易い。また、特殊フェライトコアが、筒状の形状でケーブルなどを囲むことになり、平板状の場合に比べて、電磁波を減衰し易く、さらに変換させた熱エネルギーを大気中に放出し易い。さらに、フェライトコアが、複数の酸化物磁性材料を使用した特殊フェライトコアにすることで、減衰率を高いものとでき、例えば、高調波の減衰に適したものとすることもできる。加えて、コンセントとしても、ケーブルとしても、上記のような効果を得ることができる。これにより、コンセントやケーブルのノイズとなる不安定な電磁波（高調波）を軽減できてノイズ（無効電力）を取り除くことができ、機器にはきれいな電流が流れて、機器への負担が小さくなる結果、省エネが可能になる。
【図面の簡単な説明】
【００１４】
【図１】本考案の実施の形態にかかる４種類のノイズフィルタを示す図である。
【図２】図１に示すノイズフィルタのそれぞれが２分割できることを示す図である。
【図３】図１に示したノイズフィルタが取り付けられた状態を示す図である。
【考案を実施するための形態】
【００１５】
図１（Ａ）及び図２（Ａ）は小サイズのものを示し、図１（Ｂ）及び図２（Ｂ）は中サイズのものを示し、図１（Ｃ）及び図２（Ｃ）は大サイズのものを示し、図１（Ｄ）及び図２（Ｄ）は特大サイズのものを示す。以下、図面を参照して、本願考案の実施例について述べる。なお、本願考案の実施の形態は、以下の実施例に限定されるものではない。
【００１６】
ノイズフィルタ１，３，５，７は、全体が筒状で、ノイズフィルタ１の外形が円柱状でノイズフィルタ３，５，７の外形が直方体であり、、いずれの内部も円柱状に空いており、図２に示すように軸方向で２つに分離できるものとなっている。この筒状部分には、高調波の電磁波をノイズとして減衰できるように複数の酸化物磁性材料を使用した特殊フェライトコアが用いられている。そして、図２に示すように２分割にできるので、図３に示すようにケーブルなどにも簡単に取り付け易いものとできている。固定には別途のバンドが用いられている。
【００１７】
ここで、高調波の電磁波がノイズになることを説明する。一般的に、スイッチング電源などのスイッチング周波数に含まれる高調波成分（基本波の整数倍の周波数）が高調波ノイズと言われている。エネルギーレベルは、数ｍｖ〜数十ｍｖと比較的ちいさいもので、ＡＣ電源ラインのノイズ対策としては、恒常的に機器に侵入してくるノイズであり、対策が必要なものと言われている。
【００１８】
このような高調波の電磁波をノイズとして取り除くノイズフィルタとして、図１のノイズフィルタ１，３，５，７は、効果を発揮するものであり、実験では、設置の有無によって、無効電力を５．７２％削減できたという結果が得られている。
【００１９】
このようなノイズ（無効電力）を取り除いて、機器にはきれいな電流が流れて、機器への負担が小さくなる結果、省エネが可能になるという効果が得られている。
【００２０】
その他の効果も説明する。特殊フェライトコアが、ケーブルなどの電磁波を発生するものを囲む筒状の形状をしており、軸方向に複数分割されて互いに分離できるものであることから、取り付け易い。また、特殊フェライトコアが、筒状の形状でケーブルなどを囲むことになり、平板状の場合に比べて、電磁波を減衰し易く、さらに変換させた熱エネルギーを大気中に放出し易い。
【００２１】
上記では、ノイズフィルタとして示したが、ノイズフィルタを備えるコンセントや電源ケーブルとしてもよい。ノイズフィルタが取り付けられる部分は、コンセントであれば、電源側などに差し込まれるプラグ（オス）と他のプラグが差し込まれる差込口（メス）との間のいずれの場所でもよいが、差し込み口が複数のプラグ対応であればあるほど、ノイズキャンセルの観点から差込口に近い部分に設けることが好ましい。
【符号の説明】
【００２２】
１、３、５、７・・・ノイズフィルタ
【図１】
0003227831.tif 000003
【図２】
0003227831.tif 000004
【図３】
0003227831.tif 000005